(57)【要約】【課題】調理物の調理状態を電子レンジの外部の多数位置で容易かつ迅速に確認し、透視可能なドアを容易に製作することができる電子レンジを提供する。【解決手段】ドアは、調理室の縁面と接触するフレームとフレームの前方に突出した上面板及び下面板とからなる第１ドア片と、上側縁部と下側縁部がそれぞれ第１ドア片の上面板と下面板の縁部に結合されるように前方に突出する前面板からなる第２ドア片とから構成される。第１ドア片は、フレームと透視部材の上面板と下面板をプレス加工で一体に形成した後、上面板と下面板をフレームに対して前方に９０°の角度に折り曲げることで製造される。第２ドア片の上側縁部と下側縁部はそれぞれ第１ドア片の上面板と下面板に溶接により結合される。第２ドア片の両側端には外向に延長されるフランジ部が設けられ、各フランジ部が第１ドア片のフレームの内側に溶接で結合される。【選択図】　　　　図４
2004077108.tif 000002
【特許請求の範囲】
【請求項１】
調理物を調理するための加熱部と、
開口部を有する調理室と、
前記調理室を選択的に開閉するドアとを含み、
前記ドアは、前記ドアの外側縁部を形成し前記開口部の縁部と接触するフレームを有する第１ドア片と、前記フレームの両側から前方に突出する前面板を有する第２ドア片とを含み、前記ドアは前記第１ドア片を前記第２ドア片に結合することで形成されることを特徴とする電子レンジ。
【請求項２】
前記第１ドア片は上面板及び下面板をさらに含み、前記上面板及び下面板は、前記前面板とともに、前記調理室から延長される調理空間を形成するため、前記前面板の上下端に付着されることを特徴とする請求項１記載の電子レンジ。
【請求項３】
前記前面板と上面板及び下面板は金属板から製作され、前記前面板と上面板は多数の透視孔を含むことを特徴とする請求項２記載の電子レンジ。
【請求項４】
前記加熱部は調理物を調理するため高周波を発生するマグネトロンを含み、前記フレームは、前記開口部が前記ドアにより閉鎖されたとき、ドアを通じて前記調理室から高周波が漏洩することを防止する多数のチョーク溝を含むことを特徴とする請求項１記載の電子レンジ。
【請求項５】
前記前面板は半円筒形に形成され、前記上面板と下面板は前記前面板の内部に形成される内部空間の上部と下部を覆うように半円形に形成されることを特徴とする請求項２記載の電子レンジ。
【請求項６】
前記前面板は上面と下面が開放された箱状を有し、前記上面板と下面板は前記前面板の内部に形成される内部空間の上部と下部を覆う長方形に形成されることを特徴とする請求項２記載の電子レンジ。
【請求項７】
前記上面板と下面板は、溶接、コーキング及びリベット結合工程のいずれかにより前記前面板の上端部及び下端部にそれぞれ付着されることを特徴とする請求項２記載の電子レンジ。
【請求項８】
前記前面板は前記前面板の両側端から外向に延長されるフランジ部を含み、前記フランジ部は前記フレームの両側の対応内側端に付着されることを特徴とする請求項２記載の電子レンジ。
【請求項９】
前記フランジ部は、溶接、コーキング及びリベット結合のいずれかにより前記フレームに付着されることを特徴とする請求項８記載の電子レンジ。
【請求項１０】
前記フレームは、前記前面板のフランジ部を収容するため、前記フレームの両側の内側端に設けられた段差部を含むことを特徴とする請求項９記載の電子レンジ。
【請求項１１】
前記第１ドア片は、プレス加工により、前記フレームと前記上面板及び下面板が一体的に形成された単一体を製造し、前記上面板と下面板を前方に直角に折り曲げることにより製造されることを特徴とする請求項２記載の電子レンジ。
【請求項１２】
前記加熱部は、調理物を調理するため高周波を発生するマグネトロンを含むことを特徴とする請求項１記載の電子レンジ。
【請求項１３】
前記フレームと前記上面板及び下面板は単一構造に一体的に形成されることを特徴とする請求項２記載の電子レンジ。
【請求項１４】
前記前面板と上面板は多数の透視孔を含むことを特徴とする請求項２記載の電子レンジ。
【請求項１５】
前記前面板と上面板は前記調理室を多数の位置で透視できるように構成されることを特徴とする請求項１４記載の電子レンジ。
【請求項１６】
前記下面板は多数の透視孔を含み、前記前面板と前記上面板及び下面板は前記調理室を多数の位置で透視できるように構成されることを特徴とする請求項２記載の電子レンジ。
【請求項１７】
前記電子レンジは、前記前面板の透視孔を覆う透明板からなることを特徴とする請求項２記載の電子レンジ。
【請求項１８】
調理物を調理するための加熱部と、
調理物を収容するための開口部を有する調理室と、
前記開口部を選択的に開閉するドアとを含み、
前記ドアは、前記開口部と接触して閉鎖させるため前記ドアの外側縁部を形成するフレームと、前記フレームから前方に突出し、前記調理室と前記閉鎖されたドアにより形成される空間を透視可能にする前方透視部材とを含むことを特徴とする調理装置。
【請求項１９】
前記フレームは、前記前方透視部材とともに、前記調理室から延長される調理空間を形成するため、前記前方透視部材の上端と下端に付着される上面板と下面板を含むことを特徴とする請求項１８記載の調理装置。
【請求項２０】
前記上面板と前記前方透視部材は、透視孔を含み、前記空間を多数の位置で透視できるようにすることを特徴とする請求項１９記載の調理装置。
【請求項２１】
前記加熱部は調理物を調理するため高周波を発生するマグネトロンを含むことを特徴とする請求項２０記載の調理装置。
【発明の詳細な説明】
【０００１】
【発明の属する技術分野】
本発明は電子レンジに関し、より詳しくは調理室が多数位置で透視できるように前方に突出したドアを容易に製作し得るようにした電子レンジに関するものである。
【０００２】
【従来の技術】
一般に、電子レンジは電装室に設置されたマグネトロンから発生される高周波を用いて、調理室内に置かれた調理物を調理するか暖める器具であって、高周波を調理室の内部に放射して、調理物に含有された水分の分子配列を反復的に変換させることで、飲食物の水分分子間の摩擦熱を起こして調理物を調理するようになっている。
図１はドア８が開放された状態の従来の電子レンジの斜視図である。同図に示すように、従来の電子レンジは、ハウジング１と、前記ハウジング１の内部に区画されて設けられた電装室２及び調理室３とを有する。電装室２には、高周波を発生させるためのマグネトロン４と、前記マグネトロン４を冷却させるとともに、調理室を通じて空気を循環させることで、調理物から発生する水分及び匂いを外部へ排出させるための送風ファン５とが設けられる。
【０００３】
調理室３は前面の開放された箱状に形成され、底面３ａが長方形をなし、底面３ａの先端部は調理室３の前面と同一平面をなす。前記底面３ａ上には、調理物が載せられ、マグネトロン４から放射される高周波により調理物が調理されるようにするターンテーブル６と、前記ターンテーブル６を回転可能に支持するための回転ガイド（図示せず）が設けられている。前記ターンテーブル６は調理室３の下部に配置されたモータ（図示せず）に結合され、低速で回転する。
【０００４】
また、開放された調理室３の前面には、ハウジング１の一側に回動可能に結合され、調理室３を開閉するドア８が設けられている。前記ドア８は長方形に形成され、中央部には調理室３の内部が透視できるように多数の透視孔が形成された透視部材９が結合されている。この透視部材９を含むドア８はその前面及び背面共に平面となり、ドア８が閉鎖された状態でドア８の背面が調理室３の前面に接触し、ドア８の前面は平面をなして調理室３を閉鎖する。
【０００５】
したがって、電子レンジが作動すると、マグネトロン４から発生する高周波が調理室３に放射されているうちにターンテーブル６が低速で回転するので、ターンテーブル６上に載せられた調理物が高周波により調理される。
しかし、このように構成された従来の電子レンジは六面体の形状をなし、その中央部に調理室の内部が透視できるように形成された透視部材９がドア８とともに平面をなす構造を有するため、調理の途中で、調理室３に収納された調理物の調理状態を確認するためには、使用者がドア８の前方から透視部材９の高さに合わせて調理室３の内部を覗き見なければならない欠点がある。
【０００６】
特に、従来のドア８においては、透視部材９が平面になっているとともに、透視孔の形成された部分がドア８の全面積に比べて小さく形成されるため、調理室の内部を覗き見るためには、透視部材９に近接して位置しなければならない。よって、使用者が調理室３内で調理される調理物の調理状態を確認するためには、少しの時間がかかり、しかも電子レンジの周囲でほかの仕事をしながら調理物の調理状態を確認することができない欠点がある。
【０００７】
【発明が解決しようとする課題】
したがって、本発明は前述した従来技術の問題点を解決するためのもので、その目的は、調理室で調理される調理物の調理状態を電子レンジの外部の多数位置で容易で迅速に確認できるようにした電子レンジを提供することにある。
本発明のほかの目的は、調理室が多数位置で透視できるようにしたドアを容易に製作し得るように構成された電子レンジを提供することにある。
【０００８】
【課題を解決するための手段】
前記目的を達成するため、本発明は、調理物を調理するための加熱部と、開口部を有する調理室と、前記調理室を選択的に開閉するドアとを含み、前記ドアは、前記ドアの外側縁部を形成し前記開口部の縁部と接触するフレームを有する第１ドア片と、前記フレームの両側から前方に突出する前面板を有する第２ドア片とを含み、前記ドアは前記第１ドア片を前記第２ドア片に結合することで形成される電子レンジを提供する。
【０００９】
前記第１ドア片は上面板及び下面板をさらに含み、前記上面板及び下面板は、前記前面板とともに、前記調理室から延長される調理空間を形成するため、前記前面板の上下端に付着されることが好ましい。
前記前面板と上面板及び下面板は金属板から製作され、前記前面板と上面板は多数の透視孔を含むことが好ましい。
前記加熱部は調理物を調理するため高周波を発生するマグネトロンを含み、前記フレームは、前記開口部が前記ドアにより閉鎖されたとき、ドアを通じて前記調理室から高周波が漏洩することを防止する多数のチョーク溝を含むことが好ましい。
【００１０】
前記前面板は半円筒形に形成され、前記上面板と下面板は前記前面板の内部に形成される内部空間の上部と下部を覆うように半円形に形成されることが好ましい。
前記前面板は上面と下面が開放された箱状を有し、前記上面板と下面板は前記前面板の内部に形成される内部空間の上部と下部を覆う長方形に形成されることが好ましい。
前記上面板と下面板は、溶接、コーキング及びリベット結合工程のいずれかにより前記前面板の上端部及び下端部にそれぞれ付着されることが好ましい。
【００１１】
前記前面板は前記前面板の両側端から外向に延長されるフランジ部を含み、前記フランジ部は前記フレームの両側の対応内側端に付着されることが好ましい。前記フランジ部は、溶接、コーキング及びリベット結合のいずれかにより前記フレームに付着されることが好ましい。
前記フレームは、前記前面板のフランジ部を収容するため、前記フレームの両側の内側端に設けられた段差部を含むことが好ましい。
【００１２】
前記第１ドア片は、プレス加工により、前記フレームと前記上面板及び下面板が一体的に形成された単一体を製造し、前記上面板と下面板を前方に直角に折り曲げることにより製造されることが好ましい。
前記加熱部は、調理物を調理するため高周波を発生するマグネトロンを含むことが好ましい。
前記フレームと前記上面板及び下面板は単一構造に一体的に形成されることが好ましい。
【００１３】
前記前面板と上面板は多数の透視孔を含むことが好ましい。
前記前面板と上面板は前記調理室を多数の位置で透視できるように構成されることが好ましい。
前記下面板は多数の透視孔を含み、前記前面板と前記上面板及び下面板は前記調理室を多数の位置で透視できるように構成されることが好ましい。
前記電子レンジは、前記前面板の透視孔を覆う透明板からなることが好ましい。
【００１４】
また、本発明は、調理物を調理するための加熱部と、調理物を収容するための開口部を有する調理室と、前記開口部を選択的に開閉するドアとを含み、前記ドアは、前記開口部と接触して閉鎖させるため前記ドアの外側縁部を形成するフレームと、前記フレームから前方に突出し、前記調理室と前記閉鎖されたドアにより形成される空間を透視可能にする前方透視部材とを含む調理装置を提供する。
前記フレームは、前記前方透視部材とともに、前記調理室から延長される調理空間を形成するため、前記前方透視部材の上端と下端に付着される上面板と下面板を含むことが好ましい。
前記上面板と前記前方透視部材は、透視孔を含み、前記空間を多数の位置で透視できるようにすることが好ましい。
前記加熱部は調理物を調理するため高周波を発生するマグネトロンを含むことが好ましい。
【００１５】
【発明の実施の形態】
以下、添付図面に基づいて本発明の好ましい実施例を詳細に説明する。
図２は本発明の一実施例によるドアが調理室を開放した状態を示す斜視図であり、図３は前記ドアが調理室を閉鎖した状態を示す斜視図である。
同図に示すように、本発明による電子レンジは、高周波を発生させるためのいろいろな電気部品が設けられる電装室１０と、調理物を調理するための空間を有し、前面が開放されている調理室２０と、調理室２０の開放前面を開閉するためのドア３０とを備える。
【００１６】
前記電装室１０には、調理室２０に高周波を放射するマグネトロン１１と、前記マグネトロン１１を冷却させるとともに、調理室２０内の調理物から発生する水分及び匂いを電子レンジの外部へ排出させるための送風ファン１２とが設けられる。
調理室２０は上壁２１、底面板２２、左右側壁２３、２４、及び後壁（図示せず）からなり、その前面に開口部２５が設けられるので、前面が開放される。調理室２０の前面には、前記開口部２５を開閉するため、本発明によるドア３０が回動可能に結合される。前記調理室２０の開口部２５の縁部には、ドア３０が閉じたとき、ドア３０の縁部と接触して前記開口部２５を密閉するため、平面の四角帯面２６が設けられる。
【００１７】
調理室２０の底面板２２上には、調理物が載せられ調理されるようにするターンテーブル２７と、前記ターンテーブル２７を回転可能に支持する回転支持部（図示せず）とが設けられている。このターンテーブル２７は底面板２２の下部に設置されるモータ（図示せず）により低速で回転することで、その上に載せられた調理物に高周波が均等に伝達されるようにして、調理物を調理することになる。
本発明の一実施例によるドア３０は、調理室２０の開口部２５を形成する四角帯面２６に密着して高周波の漏洩を防止するため、長方形の縁部をなすフレーム３１と、調理室２０の内部を透視して調理状態を確認し得るように、前記フレーム３１の開口部に配置される透視部材３２とを含む。
【００１８】
フレーム３１には、その縁部の内側面に沿って多数のチョーク溝３１ａが一定の間隔で形成されているので、フレーム３１が調理室２０の前面の四角帯面２６と接触すると、前記チョーク溝３１ａにより調理室２０からの高周波の漏洩が防止される。
透視部材３２は、前記フレーム３１の両側から前方に、つまり調理室２０の前面の外側に曲面をなしながら突出した前面板３３と、前記前面板３３の上部を覆う略半円形の上面板３４と、前記前面板３３の下部を覆う略半円形の下面板３５とからなるもので、全体として前方に略半円筒形に突出した形状を有する。
【００１９】
一方、半円筒形をなすように前方に突出した構造を有するドア３０の透視部材３２が調理室２０とともに調理空間３７を形成するため、調理室２０の底面板２２の先端部２２ａも略半円形に形成され調理室の前方に突出した構造を有する。したがって、ドア３０が調理室２０を閉鎖した状態で、底面板２２の先端部２２ａは透視部材３２の下面板３５上に配置され、半円筒形の透視部材３２の内部が調理空間３７を構成することになる。
【００２０】
透視部材３２の前面板３３と上面板３４には、調理室２０が透視できるように一定大きさの透視孔が稠密に配列されているので、前記透視部材３２の前面板３３と上面板３４を通して調理室２０の内部を覗き見ることができるようにする。すなわち、本発明による電子レンジは、調理室２０の前方だけでなく上方及び両方から調理室２０を透視することができるので、使用者は電子レンジの付近でほかの仕事をしながらも調理室２０に収納された調理物の調理状態を確認することができる。
【００２１】
一方、透視孔が形成されている透視部材３２の外面には、透明材質で作られた透明窓（図示せず）を付着することで、透視孔を通して調理室の内部が調理室の外部と連通しないようにするとともに、透視部材３２を通して調理室２０の内部を覗き見ることができるようにする。
ところが、一般に、電子レンジは調理空間内に使用者の眼高に又はそれより低い位置に配置されるため、本実施例では、透視部材３２の下面板３５には透視のための透視孔が形成されていないものにしたが、調理室２０の内部が覗き見られるように、電子レンジの設置高によって下面板３５にも透視孔が形成されたものにすることができる。
【００２２】
図２及び図３に示すように、電子レンジのドア３０の透視部材３２が前方に突出した半円筒形を有するので、調理時に調理物から発生する水分が透視部材３２の内面に凝結する現象を効果的に防止することができる。
図４及び図５は本発明の一実施例によるドアの組立構造を示すもので、図４はドアの分解斜視図であり、図５は結合されたドアの斜視図である。
同図に示すように、前方に突出した本発明の一実施例によるドア３０は二つの金属板が結合された簡単な構造を有する。すなわち、ドア３０は、調理室２０を密閉するためのフレーム３１とこのフレーム３１の上部及び下部にそれぞれ透視部材３２の上面板３４と下面板３５とが一体的に形成された第１ドア片４０と、透視部材３２の前面板３３からなる第２ドア片５０とから構成される。
【００２３】
第１ドア片４０は、フレーム３１と透視部材３２の上面板３４及び下面板３５とがプレス加工により一体に形成された後、前記上面板３４と下面板３５がフレームに対して前方に９０°の角度で折り曲げられることにより作られる。つぎに、こうして得た第１ドア片４０に、前方に突出する曲面をなすように、透視部材３２の前面板３３をプレス加工で成形した第２ドア片５０が結合される。
第１ドア片４０と第２ドア片５０を結合させる作業について説明する。第２ドア片５０を第１ドア片４０に結合させるため、第２ドア片５０の両端には、前面板３３の縁部からおよそ９０°の角度で外向に延長されるフランジ部５１が設けられる。また、第２ドア片５０のフランジ部５１に結合して一平面を形成するように、第１ドア片４０のフレーム３１の内側面の両側には、前記フランジ部５１が結合される段差部４１が設けられる。好ましくは、前記段差部４１の幅は前記フランジ部５１の幅より少し大きくする。したがって、フランジ部５１が段差部４１に結合された状態で、フランジ部５１がフレーム３１に溶接されることにより、第２ドア片５０の両側端部が第１ドア片４０の両側端部に固定される。
【００２４】
フランジ部５１がフレーム３１の両側面に結合された状態で、フレーム３１とフランジ部５１は平面をなす。したがって、フレーム３１と調理室２０の四角帯面２６（図２参照）との間には隙間が形成されない。
図５に示すように、フランジ部５１が段差部４１に結合されてから溶接された状態で、第１ドア片４０に設けられた透視部材３２の上面板３４と下面板３５はそれぞれ第２ドア片５０をなす透視部材３２の前面板３３の上部と下部を覆い、上面板３４と下面板３５の縁部がそれぞれ前面板３３の上端と下端に対応して配置される。
【００２５】
その後、前面板３３の上端と上面板３４の縁部との間と、前面板３３の下端と下面板３５の縁部との間をその内側で溶接すると、第２ドア片５０は第１ドア片４０に堅く固定され、これでドア３０の組立が仕上がる。ここで、符号６１と６２はそれぞれ前面板３３の上端と上面板３４の縁部との間と、前面板３３の下端と下面板３５の縁部との間に形成される溶接線を示す。
【００２６】
第１ドア片４０と第２ドア片５０はプロジェクション溶接により結合されるものと例示したが、その結合方式はこれに限定されるものではなく、例えば第１ドア片と第２ドア片はほかの溶接方式、コーキング、又はリベット結合方式で結合することもできる。また、本実施例においては、第１ドア片と第２ドア片がプレス加工により製作されるものと例示したが、これに限定されなく、ほかの方式によっても製作できる。
【００２７】
図６及び図７は本発明のほかの実施例によるドアの分解斜視図及び結合斜視図である。同図に示すように、本発明のほかの実施例は、ドア３０の透視部材３２が四角箱状に形成され前方に突出したものを示すもので、透視部材３２が図２ないし図４に示す半円筒形のほかにもいろいろの形状に形成できることを例示するものである。
図６のドア３０は、その形状を除き、図２ないし図４のドア３０と同一の結合構造を有するので、図６及び図７に示すドア３０のそれ以上の説明は省略する。
【００２８】
【発明の効果】
以上説明したように、本発明による電子レンジは、ドアが前方に突出する構造であるので、多数位置及び角度で調理室の内部を透視することができる。よって、調理室内で調理される調理物の調理状態を多数位置で迅速に確認することができる利点があるものである。
また、本発明による電子レンジは、前方に突出するドアがプレス加工により二つのドア片に製作された後、溶接により相互結合される構造であるので、製作が簡便で迅速に行える利点があるものである。
【図面の簡単な説明】
【図１】ドアが調理室を開放した状態を示す従来の電子レンジの斜視図である。
【図２】本発明の一実施例を示すドアが調理室を開放した状態を示す電子レンジの斜視図である。
【図３】図２に示すドアが調理室を閉鎖した状態を示す電子レンジの斜視図である。
【図４】図２及び図３に示す電子レンジのドアの分解斜視図である。
【図５】図５に示すドアの結合斜視図である。
【図６】本発明のほかの実施例によるドアの分解斜視図である。
【図７】図６に示すドアの結合斜視図である。
【符号の説明】
２０　調理室
２２　底面板
３０　ドア
３１　フレーム
３２　透視部材
３３　前面板
３４　上面板
３５　下面板
４０　第１ドア片
４１　段差部
５０　第２ドア片
５１　フランジ部
【図１】
2004077108.tif 000003
【図２】
2004077108.tif 000004
【図３】
2004077108.tif 000005
【図４】
2004077108.tif 000006
【図５】
2004077108.tif 000007
【図６】
2004077108.tif 000008
【図７】
2004077108.tif 000009